(57)【特許請求の範囲】
【請求項１】
入力電源に対して並列に設けられた第一のトランスの一次側回路と第二のトランスの一次側回路と、
負荷に対して並列に設けられた前記第一のトランスの二次側回路と前記第二のトランスの二次側回路と、
前記第一のトランスと前記第二のトランスとの位相を１８０°ずらして駆動する駆動制御部と、を備えるフォワード型スイッチング電源装置において、
前記第一のトランスの二次側巻線電圧を検出する第一検出部と、前記第二のトランスの二次側巻線電圧を検出する第二検出部と、をさらに備え、
前記駆動制御部は、
前記第一のトランスの一次側回路がオフであり、かつ前記第一検出部の検出値が反転する場合に、前記第二のトランスの二次側回路をオンとし、
前記第二のトランスの一次側回路がオフであり、かつ前記第二検出部の検出値が反転する場合に、前記第一のトランスの二次側回路をオンとし、
メイントランスの二次側巻線に発生する電圧の反転を検出して、この反転タイミングに基づいて同期整流駆動することにより、ＭＯＳＦＥＴの同時オンに起因する回路損傷を回避し、
前記ＭＯＳＦＥＴの同時オンとは、前記第一のトランスの一次側巻線と前記入力電源との間に並列に設けられた二つのＭＯＳＦＥＴと前記第二のトランスの二次側巻線と前記負荷との間に設けられたＭＯＳＦＥＴとの同時オン、または前記第二のトランスの一次側巻線と前記入力電源との間に並列に設けられた二つのＭＯＳＦＥＴと前記第一のトランスの二次側巻線と前記負荷との間に設けられたＭＯＳＦＥＴとの同時オン、であり、
前記トランスの一次側回路がオフとは、前記トランスの一次側巻線と前記入力電源との間に並列に設けられた二つのＭＯＳＦＥＴがオフとされることであり、
前記トランスの二次側回路がオンとは、前記トランスの二次側巻線と前記負荷との間に設けられたＭＯＳＦＥＴがオンとされることである
ことを特徴とするフォワード型スイッチング電源装置。
【請求項２】
請求項１に記載のフォワード型スイッチング電源装置において、
前記第一のトランスの一次側回路と前記第二のトランスの一次側回路との少なくともいずれか一方は、１石型である
ことを特徴とするフォワード型スイッチング電源装置。
【請求項３】
請求項１に記載のフォワード型スイッチング電源装置において、
前記第一のトランスの一次側回路と前記第二のトランスの一次側回路との少なくともいずれか一方は、２石型である
ことを特徴とするフォワード型スイッチング電源装置。
【請求項４】
請求項１乃至請求項３のいずれか一項に記載のフォワード型スイッチング電源装置において、
前記駆動制御部は、
前記第一のトランスの一次側回路がオフであり、かつ前記第一検出部の検出値がゼロ以下となった場合に、前記第二のトランスの二次側回路をオンとし、
前記第二のトランスの一次側回路がオフであり、かつ前記第二検出部の検出値がゼロ以下となった場合に、前記第一のトランスの二次側回路をオンとする
ことを特徴とするフォワード型スイッチング電源装置。
【請求項５】
請求項１乃至請求項４のいずれか一項に記載のフォワード型スイッチング電源装置において、
前記第一のトランスの二次側回路と前記第二のトランスの二次側回路とは、共通の出力平滑用チョークコイルと共通の出力平滑コンデンサと共通の転流ダイオードとを備える
ことを特徴とするフォワード型スイッチング電源装置。
【請求項６】
請求項５に記載のフォワード型スイッチング電源装置において、
前記共通の転流ダイオードに代えて、スイッチング素子を備え、
前記駆動制御部は、前記スイッチング素子を同期整流駆動する
ことを特徴とするフォワード型スイッチング電源装置。
【請求項７】
入力電源に対して並列に設けられた第一のトランスの一次側回路と第二のトランスの一次側回路と、負荷に対して並列に設けられた前記第一のトランスの二次側回路と前記第二のトランスの二次側回路と、前記第一のトランスと前記第二のトランスとの位相を１８０°ずらして駆動する駆動制御部と、前記第一のトランスの二次側巻線電圧を検出する第一検出部と、前記第二のトランスの二次側巻線電圧を検出する第二検出部と、を備えるフォワード型スイッチング電源装置の駆動方法であって、
前記第一のトランスの一次側回路がオフであり、かつ前記第一検出部の検出値が反転する場合に、前記第二のトランスの二次側回路をオンとする工程と、
前記第二のトランスの一次側回路がオフであり、かつ前記第二検出部の検出値が反転する場合に、前記第一のトランスの二次側回路をオンとする工程と、を有し、
メイントランスの二次側巻線に発生する電圧の反転を検出して、この反転タイミングに基づいて同期整流駆動することにより、ＭＯＳＦＥＴの同時オンに起因する回路損傷を回避し、
前記ＭＯＳＦＥＴの同時オンとは、前記第一のトランスの一次側巻線と前記入力電源との間に並列に設けられた二つのＭＯＳＦＥＴと前記第二のトランスの二次側巻線と前記負荷との間に設けられたＭＯＳＦＥＴとの同時オン、または前記第二のトランスの一次側巻線と前記入力電源との間に並列に設けられた二つのＭＯＳＦＥＴと前記第一のトランスの二次側巻線と前記負荷との間に設けられたＭＯＳＦＥＴとの同時オン、であり、
前記トランスの一次側回路がオフとは、前記トランスの一次側巻線と前記入力電源との間に並列に設けられた二つのＭＯＳＦＥＴがオフとされることである
前記トランスの二次側回路がオンとは、前記トランスの二次側巻線と前記負荷との間に設けられたＭＯＳＦＥＴがオンとされることである
ことを特徴とするフォワード型スイッチング電源装置の駆動方法。
【請求項８】
請求項７に記載のフォワード型スイッチング電源装置の駆動方法において、
前記第一のトランスの一次側回路と前記第二のトランスの一次側回路との少なくともいずれか一方は、１石型である
ことを特徴とするフォワード型スイッチング電源装置の駆動方法。
【請求項９】
請求項７に記載のフォワード型スイッチング電源装置の駆動方法において、
前記第一のトランスの一次側回路と前記第二のトランスの一次側回路との少なくともいずれか一方は、２石型である
ことを特徴とするフォワード型スイッチング電源装置の駆動方法。
【請求項１０】
請求項７乃至請求項９のいずれか一項に記載のフォワード型スイッチング電源装置の駆動方法において、
前記第一のトランスの一次側回路がオフであり、かつ前記第一検出部の検出値がゼロ以下となった場合に、前記第二のトランスの二次側回路をオンとする工程と、
前記第二のトランスの一次側回路がオフであり、かつ前記第二検出部の検出値がゼロ以下となった場合に、前記第一のトランスの二次側回路をオンとする工程と、を有する
ことを特徴とするフォワード型スイッチング電源装置の駆動方法。
【請求項１１】
請求項７乃至請求項１０のいずれか一項に記載のフォワード型スイッチング電源装置の駆動方法において、
前記第一のトランスの二次側回路と前記第二のトランスの二次側回路とは、共通の出力平滑用チョークコイルと共通の出力平滑コンデンサと共通の転流ダイオードとを備える
ことを特徴とするフォワード型スイッチング電源装置の駆動方法。
【請求項１２】
請求項１１に記載のフォワード型スイッチング電源装置の駆動方法において、
前記共通の転流ダイオードに代えて、スイッチング素子を備え、
前記スイッチング素子を同期整流駆動する工程を有する
ことを特徴とするフォワード型スイッチング電源装置の駆動方法。
【発明の詳細な説明】
【技術分野】
【０００１】
本発明は、フォワード型スイッチング電源装置とフォワード型スイッチング電源装置の駆動方法とに関する。
【背景技術】
【０００２】
導通デューティー比を改善した２石フォワード型電源回路は、下記特許文献１に開示されている。
【０００３】
また、１石フォワード型スイッチング電源装置は、例えば下記特許文献２に詳述されている。
【０００４】
また、二つのトランスを備え、二つのトランスの各々の一次側が入力電源と並列に設けられるとともに、該二つのトランスの各々の二次側が負荷と並列に設けられるフォワード型スイッチング電源装置においては、並列接続とされた各一次側回路の位相を１８０°ずらして駆動する。このようなフォワード型スイッチング電源装置は、例えば図７に示す回路構成となる。
【０００５】
図７に示す従来のフォワード型スイッチング電源装置を同期整流により駆動する場合には、効率的な駆動をする観点から各ＦＥＴの導通期間が可能な限り長くなるように、駆動制御される。通常、一次側のＦＥＴの導通デューティー比は最大で５０％となる。
【０００６】
一方で、現実の駆動制御においては、一方のトランスの一次側回路のＦＥＴと他方のトランスの二次側回路のＦＥＴと、が同時に導通することがないようにするため、いわゆるデッドタイムと呼ばれる全ての一次側ＦＥＴが非導通とされる安全期間が設けられている。仮に、一方のトランスの一次側回路のＦＥＴと他方のトランスの二次側回路のＦＥＴと、が同時に導通することとなれば、損失が増大するとともに何らかの障害の発生が懸念される。
【０００７】
このようなデッドタイムは、効率的な駆動をするためには短い方が好ましい。
【先行技術文献】
【特許文献】
【０００８】
【特許文献１】特開２００３−１３４８１９号公報
【特許文献２】特開２００１−２９２５７５号公報
【発明の概要】
【発明が解決しようとする課題】
【０００９】
一般的に負荷が軽い程、ＦＥＴのゲートオフ信号に対して実際のオフタイミングには遅延が生じる。全負荷範囲において同時オンを回避するためのデッドタイムを設定する必要があるため、デッドタイムが最も長く必要となる無負荷時に対応できる設定としなければならない。
【００１０】
しかし、負荷が重くなるにつれて必要なデッドタイム期間は短くなるので、当初の無負荷時の設定のままでは、重い負荷の場合には本来無駄な（不要な）デッドタイム期間が生じることとなる。
【００１１】
このため、更なる高効率化のためには、駆動タイミング(デッドタイム)の動的な最適化が必要である。
【００１２】
本発明は、上述の問題点に鑑み為されたものであり、負荷に応じて同期整流の駆動タイミングの最適化が可能なフォワード型スイッチング電源装置とフォワード型スイッチング電源装置の駆動方法とを提供することを目的とする。
【課題を解決するための手段】
【００１３】
本発明のフォワード型スイッチング電源装置は、入力電源に対して並列に設けられた第一のトランスの一次側回路と第二のトランスの一次側回路と、負荷に対して並列に設けられた第一のトランスの二次側回路と第二のトランスの二次側回路と、第一のトランスと第二のトランスとの位相を１８０°ずらして駆動する駆動制御部と、を備えるフォワード型スイッチング電源装置において、第一のトランスの二次側巻線電圧を検出する第一検出部と、第二のトランスの二次側巻線電圧を検出する第二検出部と、をさらに備え、駆動制御部は、第一のトランスの一次側回路がオフであり、かつ第一検出部の検出値が反転する場合に、第二のトランスの二次側回路をオンとし、第二のトランスの一次側回路がオフであり、かつ第二検出部の検出値が反転する場合に、第一のトランスの二次側回路をオンとすることを特徴とする。
【００１４】
また、本発明のフォワード型スイッチング電源装置は、好ましくは第一のトランスの一次側回路と第二のトランスの一次側回路との少なくともいずれか一方が、１石型であることを特徴とする。
【００１５】
また、本発明のフォワード型スイッチング電源装置は、好ましくは第一のトランスの一次側回路と第二のトランスの一次側回路との少なくともいずれか一方が、２石型であることを特徴とする。
【００１６】
また、本発明のフォワード型スイッチング電源装置は、さらに好ましくは駆動制御部が、第一のトランスの一次側回路がオフであり、かつ第一検出部の検出値がゼロ以下となった場合に、第二のトランスの二次側回路をオンとし、第二のトランスの一次側回路がオフであり、かつ第二検出部の検出値がゼロ以下となった場合に、第一のトランスの二次側回路をオンとすることを特徴とする。
【００１７】
また、本発明のフォワード型スイッチング電源装置は、さらに好ましくは第一のトランスの二次側回路と第二のトランスの二次側回路とが、共通の出力平滑用チョークコイルと共通の出力平滑コンデンサと共通の転流ダイオードとを備えることを特徴とする。
【００１８】
また、本発明のフォワード型スイッチング電源装置は、さらに好ましくは共通の転流ダイオードに代えて、スイッチング素子を備え、駆動制御部は、スイッチング素子を同期整流駆動することを特徴とする。
【００１９】
また、本発明のフォワード型スイッチング電源装置の駆動方法は、入力電源に対して並列に設けられた第一のトランスの一次側回路と第二のトランスの一次側回路と、負荷に対して並列に設けられた第一のトランスの二次側回路と第二のトランスの二次側回路と、第一のトランスと第二のトランスとの位相を１８０°ずらして駆動する駆動制御部と、第一のトランスの二次側巻線電圧を検出する第一検出部と、第二のトランスの二次側巻線電圧を検出する第二検出部と、を備えるフォワード型スイッチング電源装置の駆動方法であって、第一のトランスの一次側回路がオフであり、かつ第一検出部の検出値が反転する場合に、第二のトランスの二次側回路をオンとする工程と、第二のトランスの一次側回路がオフであり、かつ第二検出部の検出値が反転する場合に、第一のトランスの二次側回路をオンとする工程と、を有することを特徴とする。
【００２０】
また、本発明のフォワード型スイッチング電源装置の駆動方法は、好ましくは第一のトランスの一次側回路と第二のトランスの一次側回路との少なくともいずれか一方が、１石型であることを特徴とする。
【００２１】
また、本発明のフォワード型スイッチング電源装置の駆動方法は、好ましくは第一のトランスの一次側回路と第二のトランスの一次側回路との少なくともいずれか一方が、２石型であることを特徴とする。
【００２２】
また、本発明のフォワード型スイッチング電源装置の駆動方法は、さらに好ましくは第一のトランスの一次側回路がオフであり、かつ第一検出部の検出値がゼロ以下となった場合に、第二のトランスの二次側回路をオンとする工程と、第二のトランスの一次側回路がオフであり、かつ第二検出部の検出値がゼロ以下となった場合に、第一のトランスの二次側回路をオンとする工程と、を有することを特徴とする。
【００２３】
また、本発明のフォワード型スイッチング電源装置の駆動方法は、さらに好ましくは第一のトランスの二次側回路と第二のトランスの二次側回路とが、共通の出力平滑用チョークコイルと共通の出力平滑コンデンサと共通の転流ダイオードとを備えることを特徴とする。
【００２４】
また、本発明のフォワード型スイッチング電源装置の駆動方法は、さらに好ましくは共通の転流ダイオードに代えて、スイッチング素子を備え、スイッチング素子を同期整流駆動する工程を有することを特徴とする。
【発明の効果】
【００２５】
本発明により、負荷に応じて同期整流の駆動タイミングの最適化が可能なフォワード型スイッチング電源装置とフォワード型スイッチング電源装置の駆動方法とを提供できる。
【図面の簡単な説明】
【００２６】
【図１】本発明の第一の実施形態にかかるフォワード型スイッチング電源装置の概要を説明する回路図である。
【図２】フォワード型スイッチング電源装置の信号１乃至信号１０に関する駆動シーケンス概要を説明するタイミングチャート図である。
【図３】本発明の第二の実施形態にかかるフォワード型スイッチング電源装置の概要を説明する回路図である。
【図４】フォワード型スイッチング電源装置の信号１乃至信号１３に関する駆動シーケンス概要を説明するタイミングチャート図である。
【図５】本発明の第三の実施形態にかかるフォワード型スイッチング電源装置の概要を説明する回路図である。
【図６】フォワード型スイッチング電源装置の信号１乃至信号１１に関する駆動シーケンス概要を説明するタイミングチャート図である。
【図７】従来のフォワード型スイッチング電源装置を説明する回路図である。
【発明を実施するための形態】
【００２７】
サーバ機器の小型化・大容量化に伴い、サーバ機器に搭載される電源装置にも小型化・大容量化が求められている。電源装置を小型化するためには電源装置の効率を向上させる必要がある。また、環境負荷を低減してエコロジーへ対応する観点からも、電源装置の効率が向上されることが望ましい。効率化を図る手立ての一つとして、電源回路の整流素子にダイオードを用いずにＭＯＳＦＥＴを採用し、同期整流とすることが知られている。
【００２８】
同期整流による電源装置とする場合には、ＭＯＳＦＥＴのスイッチング駆動タイミングを適切に制御することが重要であり、またスイッチング素子のオンタイムを可能な限り長くすることが好ましい。
【００２９】
ＭＯＳＦＥＴの駆動制御タイミングが適切でなければパフォーマンスの低下を招来するだけでなく、最悪の場合にはＭＯＳＦＥＴの同時オンによる電源装置破損に至る懸念さえ生じる。
【００３０】
本発明で提案するフォワード型スイッチング電源装置は、メイントランスの二次側に電圧検出巻線を備え、二次側の電圧検出結果に基づいて、同期整流の駆動タイミングを制御する。これにより、負荷の大小に拘わらず、常に適切なタイミングでスイッチング駆動制御できるフォワード型スイッチング電源装置を具現できる。また、予め設定された所定の駆動タイミング（オンオフ時間）に拘束されることなく、現実の負荷に対応したタイミングでスイッチング駆動することが可能となる。
【００３１】
実施形態で説明するフォワード型スイッチング電源装置は、例えば二つのトランスを備え、各々のトランスの一次側回路は、入力電源に対して並列に接続される。また、各々のトランスの二次側回路は、負荷に対して並列に接続される。そして、二つのトランスを、１８０°位相をずらしたタイミングで交互に駆動させる。
【００３２】
そして、メイントランスの二次側巻線に発生する電圧の反転を検出して、この反転タイミングに基づいて同期整流駆動するため、ＭＯＳＦＥＴの同時オンに起因する回路損傷等を回避可能となる。また、駆動タイミングの手動調整やプリセットを別途遂行しなくても、常に自動的に最適化された駆動タイミングでスイッチング駆動されるフォワード型スイッチング電源装置とできる。
【００３３】
（第一の実施形態）
図１は、本発明の第一の実施形態にかかるフォワード型スイッチング電源装置１０００の概要を説明する回路図である。図１に示すように、フォワード型スイッチング電源装置１０００は、トランスＴ１の一次側にＭＯＳＦＥＴ（Ｑ１）とＭＯＳＦＥＴ（Ｑ２）とを備える。
【００３４】
また、フォワード型スイッチング電源装置１０００は、トランスＴ２の一次側にＭＯＳＦＥＴ（Ｑ３）とＭＯＳＦＥＴ（Ｑ４）とを備える。ＭＯＳＦＥＴ（Ｑ１）乃至ＭＯＳＦＥＴ（Ｑ４）は、駆動制御部１０によりスイッチング駆動制御される。図１においては、ＭＯＳＦＥＴ（Ｑ１），（Ｑ２）は駆動制御部１０により信号１で駆動制御され、ＭＯＳＦＥＴ（Ｑ３），（Ｑ４）は駆動制御部１０により信号２で駆動制御されるものとして示す。
【００３５】
従って、ＭＯＳＦＥＴ（Ｑ１）とＭＯＳＦＥＴ（Ｑ２）とは信号１により同一タイミングでオン・オフ駆動とされ、ＭＯＳＦＥＴ（Ｑ３）とＭＯＳＦＥＴ（Ｑ４）とは信号２により同一タイミングでオン・オフ駆動とされる。すなわち、トランスＴ１とトランスＴ２とは、位相を１８０°ずらした状態でインターバル期間をおいて、交互に一次側がパワーオンとされて駆動制御される。
【００３６】
また、フォワード型スイッチング電源装置１０００は、トランスＴ１の二次側にＭＯＳＦＥＴ（Ｑ５）を備え、トランスＴ２の二次側にＭＯＳＦＥＴ（Ｑ６）を備える。ここで、図１から明らかなようにトランスＴ１とトランスＴ２とは、入力電源１００と出力負荷２００とに対して、並列接続とされる。
【００３７】
また、フォワード型スイッチング電源装置１０００は、トランスＴ１の二次側巻線に発生する電圧を検出する第一検出部４０と、トランスＴ２の二次側巻線に発生する電圧を検出する第二検出部５０とを備える。
【００３８】
第一検出部４０で検出されたトランスＴ１の二次側電流の信号５は、信号生成部３５によって反転処理をされて信号６として出力される。信号６と、信号１を反転処理された信号３とは、ＡＮＤ回路１５に入力され、ＡＮＤ回路１５から出力された信号１０がＭＯＳＦＥＴ（Ｑ６）の駆動信号となる。
【００３９】
また、第二検出部５０で検出されたトランスＴ２の二次側電圧の信号７は、信号生成部２０によって反転処理をされて信号８として出力される。信号８と、信号２を反転処理された信号４とは、ＡＮＤ回路３０に入力され、ＡＮＤ回路３０から出力された信号９がＭＯＳＦＥＴ（Ｑ５）の駆動信号となる。
【００４０】
このような回路構成とすることにより、ＭＯＳＦＥＴ（Ｑ５）は、ＭＯＳＦＥＴ（Ｑ３）とＭＯＳＦＥＴ（Ｑ４）とがオフとされてトランスＴ２の一次側への電力供給が遮断されるとともにトランスＴ２の二次側電圧が反転したことを検出した場合に、オンとされる。このため、ＭＯＳＦＥＴ（Ｑ３）とＭＯＳＦＥＴ（Ｑ４）と、ＭＯＳＦＥＴ（Ｑ５）とが同時にオンとされることによる障害の発生を確実に防止しつつ、最大限効率化できる最適な駆動タイミングでＭＯＳＦＥＴ（Ｑ５）を駆動制御することが可能となる。
【００４１】
また、ＭＯＳＦＥＴ（Ｑ６）は、ＭＯＳＦＥＴ（Ｑ１）とＭＯＳＦＥＴ（Ｑ２）とがオフとされてトランスＴ１の一次側への電力供給が遮断されるとともにトランスＴ１の二次側電圧が反転したことを検出した場合に、オンとされる。このため、ＭＯＳＦＥＴ（Ｑ１）とＭＯＳＦＥＴ（Ｑ２）と、ＭＯＳＦＥＴ（Ｑ６）とが同時にオンとされることによる障害の発生を確実に防止しつつ、最大限効率化できる最適な駆動タイミングでＭＯＳＦＥＴ（Ｑ６）を駆動制御することが可能となる。
【００４２】
また、図１に示すようにフォワード型スイッチング電源装置１０００は、トランスＴ１とトランスＴ２とに対して共通に設けられた転流ダイオードＤ５と出力平滑用チョークコイルＬ１と出力平滑コンデンサＣ２とを備える。また、出力負荷２００へ出力される出力電圧は駆動制御部１０へとフィードバックされ、安定した所望の電圧が出力負荷２００へ出力されるように、出力電圧フィードバック制御される。
【００４３】
また、図１においては説明の便宜上、駆動制御部１０とＡＮＤ回路１５と信号生成部２０とＡＮＤ回路３０と信号生成部３５とをそれぞれ別個の構成として説明したが、これらの機能を全て駆動制御部１０に統一して備えることが好ましい。これにより、ＭＯＳＦＥＴ（Ｑ１）乃至ＭＯＳＦＥＴ（Ｑ６）のスイッチング素子が全て、駆動制御部１０によって駆動されることとなるので好ましい。
【００４４】
また、図１においてはフォワード型スイッチング電源装置１０００が２石型であるものとして説明したが、並列接続とされたいずれか一方または両方を１石型として回路構成してもよい。
【００４５】
図２は、フォワード型スイッチング電源装置１０００の信号１乃至信号１０に関する駆動シーケンス概要を説明するタイミングチャート図である。フォワード型スイッチング電源装置１０００の駆動シーケンスについて、図２に示す期間１〜期間６ごとに順次以下に説明する。なお、図２に示すように、期間３と期間６とがデッドタイムであり、時間軸方向に破線で示すように、負荷に対応して調整する制御領域が存在する。制御領域は、デッドタイムと併せて一次側ＦＥＴが全てオフとされる期間となる。
【００４６】
（期間１）
ＭＯＳＦＥＴ（Ｑ１），（Ｑ２），（Ｑ５）が共にオンとされるとともに、ＭＯＳＦＥＴ（Ｑ３），（Ｑ４），（Ｑ６）が共にオフとされる。これにより、トランスＴ１を介して出力負荷２００に電力を供給することができる。
【００４７】
期間１においては、トランスＴ１の一次側でコンデンサＣ１→ＭＯＳＦＥＴ（Ｑ１）→トランスＴ１の一次巻線→ＭＯＳＦＥＴ（Ｑ２）→コンデンサＣ１の経路で電流が流れることとなる。また、期間１においては、トランスＴ１の二次側でトランスＴ１の二次巻線→出力平滑用チョークコイルＬ１→出力平滑コンデンサＣ２→ＭＯＳＦＥＴ（Ｑ５）→トランスＴ１の二次巻線の経路で電流が流れることとなる。
【００４８】
また、期間１においては、トランスＴ２の一次側のＭＯＳＦＥＴ（Ｑ３），（Ｑ４）がオフとなっている。このため、トランスＴ２をリセットするためのリセット電流が、トランスＴ２の一次巻線→整流ダイオードＤ３→コンデンサＣ１→整流ダイオードＤ４→トランスＴ２の一次巻線の経路で流れる。
【００４９】
（期間２）
期間２は、ＭＯＳＦＥＴ（Ｑ１），（Ｑ２）のゲート信号である信号１がオフした後、トランスＴ１の二次巻線の電圧が現実に反転するまでの期間となる。フォワード型スイッチング電源装置１０００は、トランスＴ１の二次巻線電圧が反転したことを第一検出部４０が検出するまでの間、すなわち第一検出部４０による検出電圧の信号５が正から負に反転するまでの間は、ＭＯＳＦＥＴ（Ｑ６）をオンとしない。
【００５０】
また、フォワード型スイッチング電源装置１０００は、トランスＴ１の二次巻線電圧が反転したことを第一検出部４０が検出した後、すなわち第一検出部４０による検出電圧の信号５が正から負に反転した後（典型的には信号５がゼロクロスした場合）に、ＭＯＳＦＥＴ（Ｑ６）をオンとする。
【００５１】
これにより、フォワード型スイッチング電源装置１０００は、トランスＴ１の二次側から出力負荷２００へと電力を供給している間は、トランスＴ１の二次側の電流がトランスＴ２へと引き込まれることを確実に遮断することができ、効率的な駆動となる。
【００５２】
（期間３）
期間３は、ＭＯＳＦＥＴ（Ｑ１），（Ｑ２），（Ｑ３），（Ｑ４）、すなわちトランスＴ１，Ｔ２の各一次側がすべてオフとされる、トランスＴ１の駆動とトランスＴ２の駆動との間に設けられるいわゆるデッドタイムである。
【００５３】
期間３においては、出力平滑用チョークコイルＬ１から出力負荷２００へと電力を供給する。このため、出力平滑用チョークコイルＬ１→出力平滑コンデンサＣ２→転流ダイオードＤ５→出力平滑用チョークコイルＬ１の電流経路と、出力平滑用チョークコイルＬ１→出力平滑コンデンサＣ２→ＭＯＳＦＥＴ（Ｑ５）→トランスＴ１の二次巻線→出力平滑用チョークコイルＬ１の電流経路と、出力平滑用チョークコイルＬ１→出力平滑コンデンサＣ２→ＭＯＳＦＥＴ（Ｑ６）→トランスＴ２の二次巻線→出力平滑用チョークコイルＬ１の電流経路と、の計３つの電流経路において各々電流が分岐されて流れることとなる。
【００５４】
（期間４）
ＭＯＳＦＥＴ（Ｑ３），（Ｑ４），（Ｑ６）が共にオンとされるとともに、ＭＯＳＦＥＴ（Ｑ１），（Ｑ２），（Ｑ５）が共にオフとされる。これにより、トランスＴ２を介して出力負荷２００に電力を供給することができる。
【００５５】
期間４においては、トランスＴ２の一次側でコンデンサＣ１→ＭＯＳＦＥＴ（Ｑ３）→トランスＴ２の一次巻線→ＭＯＳＦＥＴ（Ｑ４）→コンデンサＣ１の経路で電流が流れることとなる。また、期間４においては、トランスＴ２の二次側でトランスＴ２の二次巻線→出力平滑用チョークコイルＬ１→出力平滑コンデンサＣ２→ＭＯＳＦＥＴ（Ｑ６）→トランスＴ２の二次巻線の経路で電流が流れることとなる。
【００５６】
また、期間４においては、トランスＴ１の一次側のＭＯＳＦＥＴ（Ｑ１），（Ｑ２）がオフとなっている。このため、トランスＴ１をリセットするためのリセット電流が、トランスＴ１の一次巻線→整流ダイオードＤ１→コンデンサＣ１→整流ダイオードＤ２→トランスＴ１の一次巻線の経路で流れる。
【００５７】
ＭＯＳＦＥＴ（Ｑ１），（Ｑ２）の駆動タイミングとＭＯＳＦＥＴ（Ｑ３），（Ｑ４と）の駆動タイミングとは、位相が１８０°ずれて駆動制御される。
【００５８】
（期間５）
期間５は、ＭＯＳＦＥＴ（Ｑ３），（Ｑ４）のゲート信号である信号２がオフした後、トランスＴ２の二次巻線の電圧が現実に反転するまでの期間となる。フォワード型スイッチング電源装置１０００は、トランスＴ２の二次巻線電圧が反転したことを第二検出部５０が検出するまでの間、すなわち第二検出部５０による検出電圧の信号７が正から負に反転するまでの間は、ＭＯＳＦＥＴ（Ｑ５）をオンとしない。
【００５９】
また、フォワード型スイッチング電源装置１０００は、トランスＴ２の二次巻線電圧が反転したことを第二検出部５０が検出した後、すなわち第二検出部５０による検出電圧の信号７が正から負に反転した後（典型的には信号７がゼロクロスした場合）に、ＭＯＳＦＥＴ（Ｑ５）をオンとする。
【００６０】
これにより、フォワード型スイッチング電源装置１０００は、トランスＴ２の二次側から出力負荷２００へと電力を供給している間は、トランスＴ２の二次側の電流がトランスＴ１へと引き込まれることを確実に遮断することができ、効率的な駆動となる。
【００６１】
（期間６）
期間６は、ＭＯＳＦＥＴ（Ｑ１），（Ｑ２），（Ｑ３），（Ｑ４）、すなわちトランスＴ１，Ｔ２の各一次側がすべてオフとされる、トランスＴ１の駆動とトランスＴ２の駆動との間に設けられるいわゆるデッドタイムである。
【００６２】
期間６においては、出力平滑用チョークコイルＬ１から出力負荷２００へと電力を供給する。このため、出力平滑用チョークコイルＬ１→出力平滑コンデンサＣ２→転流ダイオードＤ５→出力平滑用チョークコイルＬ１の電流経路と、出力平滑用チョークコイルＬ１→出力平滑コンデンサＣ２→ＭＯＳＦＥＴ（Ｑ５）→トランスＴ１の二次巻線→出力平滑用チョークコイルＬ１の電流経路と、出力平滑用チョークコイルＬ１→出力平滑コンデンサＣ２→ＭＯＳＦＥＴ（Ｑ６）→トランスＴ２の二次巻線→出力平滑用チョークコイルＬ１の電流経路と、の計３つの電流経路において各々電流が分岐されて流れることとなる。
【００６３】
フォワード型スイッチング電源装置１０００は、同期整流の駆動タイミングを最適化し、最大限同期整流の効率向上を図る駆動制御を実現できる。また、フォワード型スイッチング電源装置１０００は、負荷の大小に拘わらず常に最適なタイミングでの駆動とできる。また、フォワード型スイッチング電源装置１０００は、スイッチング素子の同時オンによる回路損傷を確実に回避可能である。
【００６４】
フォワード型スイッチング電源装置１０００は、以降期間１〜期間６を順次繰り返して駆動されることとなる。また、各コンバータを１石型のフォワード型スイッチング電源として構成した場合においても、本発明を適用して駆動制御することが可能である。フォワード型スイッチング電源装置１０００は、転流ダイオードＤ５を用いた回路構成としたが、転流ダイオードＤ５に代えてＭＯＳＦＥＴを用いてもよい。
【００６５】
（第二の実施形態）
図３は、本発明の第二の実施形態にかかるフォワード型スイッチング電源装置３０００の概要を説明する回路図である。また、図４はフォワード型スイッチング電源装置３０００の信号１乃至信号１３に関する駆動シーケンス概要を説明するタイミングチャート図である。
【００６６】
フォワード型スイッチング電源装置３０００は、転流ダイオードＤ５に代えてＭＯＳＦＥＴ（Ｑ７）を用いた同期整流駆動を遂行する。フォワード型スイッチング電源装置３０００は、トランスＴ１とトランスＴ２との一次側は、フォワード型スイッチング電源装置１０００と同一の回路構成であるので、重複を避けるためにここでは説明を省略する。
【００６７】
フォワード型スイッチング電源装置３０００は、トランスＴ１の二次側にＭＯＳＦＥＴ（Ｑ５）を備え、トランスＴ２の二次側にＭＯＳＦＥＴ（Ｑ６）を備える。ここで、図３から明らかなようにトランスＴ１とトランスＴ２とは、入力電源１００と出力負荷２００とに対して、並列接続とされる。
【００６８】
また、フォワード型スイッチング電源装置３０００は、トランスＴ１の二次側巻線の電圧を検出する第一検出部４０と、トランスＴ２の二次側巻線の電圧を検出する第二検出部５０とを備える。
【００６９】
第一検出部４０で検出されたトランスＴ１の二次側電圧の信号３は、信号生成部３５によって反転処理をされて信号４として出力される。信号４と、ＭＯＳＦＥＴ（Ｑ３），（Ｑ４）を駆動する信号２とは、ＡＮＤ回路１５に入力され、ＡＮＤ回路１５から出力された信号８がＭＯＳＦＥＴ（Ｑ６）の駆動信号となる。
【００７０】
また、第二検出部５０で検出されたトランスＴ２の二次側電圧の信号５は、信号生成部２０によって反転処理をされて信号６として出力される。信号６と、ＭＯＳＦＥＴ（Ｑ１），（Ｑ２）を駆動する信号１とは、ＡＮＤ回路３０に入力され、ＡＮＤ回路３０から出力された信号７がＭＯＳＦＥＴ（Ｑ５）の駆動信号となる。
【００７１】
また、信号７は、反転処理部６５で反転されて、信号９としてＡＮＤ回路７０へと入力される。また、信号８は、反転処理部６０で反転されて、信号１０としてＡＮＤ回路７０へと入力される。ＡＮＤ回路７０から出力された信号１１は、ＡＮＤ回路８０へと入力される。
【００７２】
また、信号６と信号４とはＡＮＤ回路７５へと入力され、ＡＮＤ回路７５の出力は信号１２としてＡＮＤ回路８０へと入力される。そして、ＡＮＤ回路８０の出力信号１３が、ＭＯＳＦＥＴ（Ｑ７）の駆動信号となる。
【００７３】
このような回路構成とすることにより、ＭＯＳＦＥＴ（Ｑ５）は、ＭＯＳＦＥＴ（Ｑ１），（Ｑ２）がオンとされており、かつトランスＴ２の二次側電圧が反転したことを検出した場合に、オンとされる。このため、ＭＯＳＦＥＴ（Ｑ３）とＭＯＳＦＥＴ（Ｑ４）と、ＭＯＳＦＥＴ（Ｑ５）とが同時にオンとされることによる障害の発生を確実に防止しつつ、最大限効率化できる最適な駆動タイミングでＭＯＳＦＥＴ（Ｑ５）を駆動制御することが可能となる。
【００７４】
また、ＭＯＳＦＥＴ（Ｑ６）は、ＭＯＳＦＥＴ（Ｑ３），（Ｑ４）がオンとされており、かつトランスＴ１の二次側電圧が反転したことを検出した場合に、オンとされる。このため、ＭＯＳＦＥＴ（Ｑ１）とＭＯＳＦＥＴ（Ｑ２）と、ＭＯＳＦＥＴ（Ｑ６）とが同時にオンとされることによる障害の発生を確実に防止しつつ、最大限効率化できる最適な駆動タイミングでＭＯＳＦＥＴ（Ｑ６）を駆動制御することが可能となる。
【００７５】
また、図３に示すようにフォワード型スイッチング電源装置３０００は、トランスＴ１とトランスＴ２とに対して共通に設けられたＭＯＳＦＥＴ（Ｑ７）と出力平滑用チョークコイルＬ１と出力平滑コンデンサＣ２とを備える。また、出力負荷２００へ出力される出力電圧は駆動制御部１０へとフィードバックされ、安定した所望の電圧が出力負荷２００へ出力されるように、出力電圧フィードバック制御される。
【００７６】
また、図３においては説明の便宜上、駆動制御部１０とＡＮＤ回路１５と信号生成部２０とＡＮＤ回路３０と信号生成部３５と反転処理部６０，６５とＡＮＤ回路７０，７５，８０とをそれぞれ別個の構成として説明したが、これらの機能を全て駆動制御部１０に統一して備えることが好ましい。これにより、ＭＯＳＦＥＴ（Ｑ１）乃至ＭＯＳＦＥＴ（Ｑ７）のスイッチング素子が全て、駆動制御部１０によって駆動されることとなるので好ましい。また、本実施形態においては説明の便宜上、第一検出部４０と第二検出部５０との信号を反転して使用しているが、図２に説明するタイミングチャートどおりの信号が得られる他の回路構成としてもよい。
【００７７】
また、図３においてはフォワード型スイッチング電源装置１０００が２石型であるものとして説明したが、並列接続とされたいずれか一方または両方を１石型として回路構成してもよい。
【００７８】
図４は、フォワード型スイッチング電源装置３０００の信号１乃至信号１３に関する駆動シーケンス概要を説明するタイミングチャート図である。フォワード型スイッチング電源装置３０００の駆動シーケンスについて、図４に示す期間１〜期間６ごとに順次以下に説明する。
【００７９】
（期間１）
ＭＯＳＦＥＴ（Ｑ１），（Ｑ２），（Ｑ５）が共にオンとされるとともに、ＭＯＳＦＥＴ（Ｑ３），（Ｑ４），（Ｑ６）が共にオフとされる。これにより、トランスＴ１を介して出力負荷２００に電力を供給することができる。
【００８０】
期間１においては、トランスＴ１の一次側でコンデンサＣ１→ＭＯＳＦＥＴ（Ｑ１）→トランスＴ１の一次巻線→ＭＯＳＦＥＴ（Ｑ２）→コンデンサＣ１の経路で電流が流れることとなる。また、期間１においては、トランスＴ１の二次側でトランスＴ１の二次巻線→出力平滑用チョークコイルＬ１→出力平滑コンデンサＣ２→ＭＯＳＦＥＴ（Ｑ５）→トランスＴ１の二次巻線の経路で電流が流れることとなる。
【００８１】
また、期間１においては、トランスＴ２の一次側のＭＯＳＦＥＴ（Ｑ３），（Ｑ４）がオフとなっている。このため、トランスＴ２をリセットするためのリセット電流が、トランスＴ２の一次巻線→整流ダイオードＤ３→コンデンサＣ１→整流ダイオードＤ４→トランスＴ２の一次巻線の経路で流れる。
【００８２】
（期間２）
期間２は、ＭＯＳＦＥＴ（Ｑ１），（Ｑ２）のゲート信号である信号１とＭＯＳＦＥＴ（Ｑ５）のゲート信号である信号７とがオフした後、トランスＴ１の二次巻線の電圧が現実に反転するまでの期間となる。フォワード型スイッチング電源装置３０００は、トランスＴ１の二次巻線電圧が反転したことを第一検出部４０が検出するまでの間、すなわち第一検出部４０による検出電圧の信号３が正から負に反転するまでの間は、フライホイール側のＭＯＳＦＥＴ（Ｑ７）をオンとしない。
【００８３】
また、フォワード型スイッチング電源装置３０００は、トランスＴ１の二次巻線電圧が反転したことを第一検出部４０が検出した後、すなわち第一検出部４０による検出電圧の信号３が正から負に反転した後（典型的には信号３がゼロクロスした場合）に、ＭＯＳＦＥＴ（Ｑ７）をオンとする。
【００８４】
これにより、フォワード型スイッチング電源装置３０００は、トランスＴ１の二次側から出力負荷２００へと電力を供給している間は、ＭＯＳＦＥＴ（Ｑ７）による二次巻線のショートを防止し、効率的な駆動となる。
【００８５】
（期間３）
期間３は、ＭＯＳＦＥＴ（Ｑ１），（Ｑ２），（Ｑ３），（Ｑ４）、（Ｑ５），（Ｑ６）がすべてオフとされる、トランスＴ１の駆動とトランスＴ２の駆動との間に設けられるいわゆるデッドタイムである。期間３においては、フライホイール側のＭＯＳＦＥＴ（Ｑ７）がオンとされる。
【００８６】
期間３においては、出力平滑用チョークコイルＬ１から出力負荷２００へと電力を供給する。このため、出力平滑用チョークコイルＬ１→出力平滑コンデンサＣ２→ＭＯＳＦＥＴ（Ｑ７）→出力平滑用チョークコイルＬ１の電流経路で電流が流れることとなる。
【００８７】
（期間４）
ＭＯＳＦＥＴ（Ｑ３），（Ｑ４），（Ｑ６）が共にオンとされるとともに、ＭＯＳＦＥＴ（Ｑ１），（Ｑ２），（Ｑ５）が共にオフとされる。これにより、トランスＴ２を介して出力負荷２００に電力を供給することができる。
【００８８】
期間４においては、トランスＴ２の一次側でコンデンサＣ１→ＭＯＳＦＥＴ（Ｑ３）→トランスＴ２の一次巻線→ＭＯＳＦＥＴ（Ｑ４）→コンデンサＣ１の経路で電流が流れることとなる。また、期間４においては、トランスＴ２の二次側でトランスＴ２の二次巻線→出力平滑用チョークコイルＬ１→出力平滑コンデンサＣ２→ＭＯＳＦＥＴ（Ｑ６）→トランスＴ２の二次巻線の経路で電流が流れることとなる。
【００８９】
また、期間４においては、トランスＴ１の一次側のＭＯＳＦＥＴ（Ｑ１），（Ｑ２）がオフとなっている。このため、トランスＴ１をリセットするためのリセット電流が、トランスＴ１の一次巻線→整流ダイオードＤ１→コンデンサＣ１→整流ダイオードＤ２→トランスＴ１の一次巻線の経路で流れる。
【００９０】
ＭＯＳＦＥＴ（Ｑ１），（Ｑ２）の駆動タイミングとＭＯＳＦＥＴ（Ｑ３），（Ｑ４と）の駆動タイミングとは、位相が１８０°ずれて駆動制御される。
【００９１】
（期間５）
期間５は、ＭＯＳＦＥＴ（Ｑ３），（Ｑ４）のゲート信号である信号２とＭＯＳＦＥＴ（Ｑ６）のゲート信号である信号８とがオフした後、トランスＴ２の二次巻線の電圧が現実に反転するまでの期間となる。フォワード型スイッチング電源装置３０００は、トランスＴ２の二次巻線電圧が反転したことを第二検出部５０が検出するまでの間、すなわち第二検出部５０による検出電圧の信号５が正から負に反転するまでの間は、フライホイール側のＭＯＳＦＥＴ（Ｑ７）をオンとしない。
【００９２】
また、フォワード型スイッチング電源装置３０００は、トランスＴ２の二次巻線の電圧が反転したことを第二検出部５０が検出した後、すなわち第二検出部５０による検出電圧の信号５が正から負に反転した後（典型的には信号５がゼロクロスした場合）に、フライホイール側のＭＯＳＦＥＴ（Ｑ７）をオンとする。
【００９３】
これにより、フォワード型スイッチング電源装置３０００は、トランスＴ２の二次側から出力負荷２００へと電力を供給している間は、ＭＯＳＦＥＴ（Ｑ７）による二次巻線のショートを防止し、効率的な駆動となる。
【００９４】
（期間６）
期間６は、ＭＯＳＦＥＴ（Ｑ１），（Ｑ２），（Ｑ３），（Ｑ４）、（Ｑ５），（Ｑ６）がすべてオフとされる、トランスＴ１の駆動とトランスＴ２の駆動との間に設けられる期間である。期間６においては、フライホイール側のＭＯＳＦＥＴ（Ｑ７）がオンとされる。
【００９５】
期間６においては、出力平滑用チョークコイルＬ１から出力負荷２００へと電力を供給する。このため、出力平滑用チョークコイルＬ１→出力平滑コンデンサＣ２→ＭＯＳＦＥＴ（Ｑ７）→出力平滑用チョークコイルＬ１の電流経路で電流が流れることとなる。
【００９６】
（第三の実施形態）
図５は、本発明の第三の実施形態にかかるフォワード型スイッチング電源装置５０００の概要を説明する回路図である。また、図６はフォワード型スイッチング電源装置５０００の信号１乃至信号１１に関する駆動シーケンス概要を説明するタイミングチャート図である。
【００９７】
フォワード型スイッチング電源装置５０００は、フォワード型スイッチング電源装置１０００の転流ダイオードＤ５に代えてＭＯＳＦＥＴ（Ｑ７）を用いた同期整流駆動を遂行する。フォワード型スイッチング電源装置５０００は、トランスＴ１とトランスＴ２との一次側及び二次側は、フォワード型スイッチング電源装置１０００と同一の回路構成であるので、重複を避けるためにここでは説明を省略する。
【００９８】
また、ＭＯＳＦＥＴ（Ｑ７）は、ＭＯＳＦＥＴ（Ｑ５）の駆動信号９とＭＯＳＦＥＴ（Ｑ６）の駆動信号１０とが入力されるＡＮＤ回路８５の出力信号１１で駆動制御される。
【００９９】
（期間１）
ＭＯＳＦＥＴ（Ｑ１），（Ｑ２），（Ｑ５）が共にオンとされるとともに、ＭＯＳＦＥＴ（Ｑ３），（Ｑ４），（Ｑ６）が共にオフとされる。これにより、トランスＴ１を介して出力負荷２００に電力を供給することができる。
【０１００】
期間１においては、トランスＴ１の一次側でコンデンサＣ１→ＭＯＳＦＥＴ（Ｑ１）→トランスＴ１の一次巻線→ＭＯＳＦＥＴ（Ｑ２）→コンデンサＣ１の経路で電流が流れることとなる。また、期間１においては、トランスＴ１の二次側でトランスＴ１の二次巻線→出力平滑用チョークコイルＬ１→出力平滑コンデンサＣ２→ＭＯＳＦＥＴ（Ｑ５）→トランスＴ１の二次巻線の経路で電流が流れることとなる。
【０１０１】
また、期間１においては、トランスＴ２の一次側のＭＯＳＦＥＴ（Ｑ３），（Ｑ４）がオフとなっている。このため、トランスＴ２をリセットするためのリセット電流が、トランスＴ２の一次巻線→整流ダイオードＤ３→コンデンサＣ１→整流ダイオードＤ４→トランスＴ２の一次巻線の経路で流れる。
【０１０２】
（期間２）
期間２は、ＭＯＳＦＥＴ（Ｑ１），（Ｑ２）のゲート信号である信号１がオフした後、トランスＴ１の二次巻線の電圧が現実に反転するまでの期間となる。フォワード型スイッチング電源装置５０００は、トランスＴ１の二次巻線電圧が反転したことを第一検出部４０が検出するまでの間、すなわち第一検出部４０による検出電圧の信号５が正から負に反転するまでの間は、ＭＯＳＦＥＴ（Ｑ６）をオンとしない。
【０１０３】
また、フォワード型スイッチング電源装置５０００は、トランスＴ１の二次巻線電流が反転したことを第一検出部４０が検出した後、すなわち第一検出部４０による検出電圧の信号５が正から負に反転した後（典型的には信号５がゼロクロスした場合）に、ＭＯＳＦＥＴ（Ｑ６）をオンとする。
【０１０４】
これにより、フォワード型スイッチング電源装置５０００は、トランスＴ１の二次側から出力負荷２００へと電力を供給している間は、トランスＴ１の二次側の電流がトランスＴ２へと引き込まれることを確実に遮断することができ、効率的な駆動となる。
【０１０５】
（期間３）
期間３は、ＭＯＳＦＥＴ（Ｑ１），（Ｑ２），（Ｑ３），（Ｑ４）、すなわちトランスＴ１，Ｔ２の各一次側がすべてオフとされる、トランスＴ１の駆動とトランスＴ２の駆動との間に設けられるいわゆるデッドタイムである。期間３においては、ＭＯＳＦＥＴ（Ｑ５），（Ｑ６），（Ｑ７）が全てオンとされる。
【０１０６】
期間３においては、出力平滑用チョークコイルＬ１から出力負荷２００へと電力を供給する。このため、出力平滑用チョークコイルＬ１→出力平滑コンデンサＣ２→ＭＯＳＦＥＴ（Ｑ７）→出力平滑用チョークコイルＬ１の電流経路と、出力平滑用チョークコイルＬ１→出力平滑コンデンサＣ２→ＭＯＳＦＥＴ（Ｑ５）→トランスＴ１の二次巻線→出力平滑用チョークコイルＬ１の電流経路と、出力平滑用チョークコイルＬ１→出力平滑コンデンサＣ２→ＭＯＳＦＥＴ（Ｑ６）→トランスＴ２の二次巻線→出力平滑用チョークコイルＬ１の電流経路と、の計３つの電流経路において各々電流が分岐されて流れることとなる。
【０１０７】
（期間４）
ＭＯＳＦＥＴ（Ｑ３），（Ｑ４），（Ｑ６）が共にオンとされるとともに、ＭＯＳＦＥＴ（Ｑ１），（Ｑ２），（Ｑ５）が共にオフとされる。これにより、トランスＴ２を介して出力負荷２００に電力を供給することができる。
【０１０８】
期間４においては、トランスＴ２の一次側でコンデンサＣ１→ＭＯＳＦＥＴ（Ｑ３）→トランスＴ２の一次巻線→ＭＯＳＦＥＴ（Ｑ４）→コンデンサＣ１の経路で電流が流れることとなる。また、期間４においては、トランスＴ２の二次側でトランスＴ２の二次巻線→出力平滑用チョークコイルＬ１→出力平滑コンデンサＣ２→ＭＯＳＦＥＴ（Ｑ６）→トランスＴ２の二次巻線の経路で電流が流れることとなる。
【０１０９】
また、期間４においては、トランスＴ１の一次側のＭＯＳＦＥＴ（Ｑ１），（Ｑ２）がオフとなっている。このため、トランスＴ１をリセットするためのリセット電流が、トランスＴ１の一次巻線→整流ダイオードＤ１→コンデンサＣ１→整流ダイオードＤ２→トランスＴ１の一次巻線の経路で流れる。
【０１１０】
ＭＯＳＦＥＴ（Ｑ１），（Ｑ２）の駆動タイミングとＭＯＳＦＥＴ（Ｑ３），（Ｑ４と）の駆動タイミングとは、位相が１８０°ずれて駆動制御される。
【０１１１】
（期間５）
期間５は、ＭＯＳＦＥＴ（Ｑ３），（Ｑ４）のゲート信号である信号２がオフした後、トランスＴ２の二次巻線の電圧が現実に反転するまでの期間となる。フォワード型スイッチング電源装置５０００は、トランスＴ２の二次巻線電圧が反転したことを第二検出部５０が検出するまでの間、すなわち第二検出部５０による検出電圧の信号７が正から負に反転するまでの間は、ＭＯＳＦＥＴ（Ｑ５）をオンとしない。
【０１１２】
また、フォワード型スイッチング電源装置５０００は、トランスＴ２の二次巻線電圧が反転したことを第二検出部５０が検出した後、すなわち第二検出部５０による検出電圧の信号７が正から負に反転した後（典型的には信号７がゼロクロスした場合）に、ＭＯＳＦＥＴ（Ｑ５）をオンとする。
【０１１３】
これにより、フォワード型スイッチング電源装置５０００は、トランスＴ２の二次側から出力負荷２００へと電力を供給している間は、トランスＴ２の二次側の電流がトランスＴ１へと引き込まれることを確実に遮断することができ、効率的な駆動となる。
【０１１４】
（期間６）
期間６は、ＭＯＳＦＥＴ（Ｑ１），（Ｑ２），（Ｑ３），（Ｑ４）、すなわちトランスＴ１，Ｔ２の各一次側がすべてオフとされる、トランスＴ１の駆動とトランスＴ２の駆動との間に設けられるいわゆるデッドタイムである。
【０１１５】
期間６においては、出力平滑用チョークコイルＬ１から出力負荷２００へと電力を供給する。このため、出力平滑用チョークコイルＬ１→出力平滑コンデンサＣ２→ＭＯＳＦＥＴ（Ｑ７）→出力平滑用チョークコイルＬ１の電流経路と、出力平滑用チョークコイルＬ１→出力平滑コンデンサＣ２→ＭＯＳＦＥＴ（Ｑ５）→トランスＴ１の二次巻線→出力平滑用チョークコイルＬ１の電流経路と、出力平滑用チョークコイルＬ１→出力平滑コンデンサＣ２→ＭＯＳＦＥＴ（Ｑ６）→トランスＴ２の二次巻線→出力平滑用チョークコイルＬ１の電流経路と、の計３つの電流経路において各々電流が分岐されて流れることとなる。
【０１１６】
フォワード型スイッチング電源装置５０００は、同期整流の駆動タイミングを最適化し、最大限同期整流の効率向上を図る駆動制御を実現できる。また、フォワード型スイッチング電源装置５０００は、負荷の大小に拘わらず常に最適なタイミングでの駆動とできる。また、フォワード型スイッチング電源装置５０００は、スイッチング素子の同時オンによる回路損傷を確実に回避可能である。
【０１１７】
フォワード型スイッチング電源装置５０００は、以降期間１〜期間６を順次繰り返して駆動されることとなる。また、各コンバータを１石型のフォワード型スイッチング電源として構成した場合においても、本発明を適用して駆動制御することが可能である。
【０１１８】
上述した各実施形態におけるフォワード型スイッチング電源装置は、説明の便宜上、各々トランスを二つ並列に備える構成として説明したが、二つ以上の複数のトランスを備え順次位相をずらして駆動するスイッチング電源装置としてもよい。また、本発明にいうデッドタイムとは、典型的には各タイミングチャート図に説明した期間３と期間６とに対応する。
【０１１９】
また、上述した各実施形態で説明したフォワード型スイッチング電源装置１０００，３０００，５０００は、各実施形態での説明に限定されることはなく、自明な範囲で任意にその構成や形状・構造・組み合わせ等を変更し、適宜その駆動方法を変更して用いることができる。
【産業上の利用可能性】
【０１２０】
本発明は、フライバック方式、フォワード型を含めたスイッチング電源装置一般に幅広く適用できる。
【符号の説明】
【０１２１】
１０・・駆動制御部、１５・・ＡＮＤ回路、２０，３５・・信号生成部、４０・・第一検出部、５０・・第二検出部、１００・・入力電源、２００・・出力負荷、１０００・・フォワード型スイッチング電源装置。
【図１】
0005652908.tif 000002
【図２】
0005652908.tif 000003
【図３】
0005652908.tif 000004
【図４】
0005652908.tif 000005
【図５】
0005652908.tif 000006
【図６】
0005652908.tif 000007
【図７】
0005652908.tif 000008